(57)【要約】【課題】バーナー部からの火炎による熱の放散を防ぐだけでなく、バーナー部における火炎の完全燃焼化を促進して、燃料の供給量が少量であっても十分な火力を得ることができ、もって燃料の大幅な節約を可能とするコンロ用火力補助具とその製造方法を提供する。【解決手段】バーナー部３とその周囲に配置される五徳４との間に設置される筒状のフード１１と、このフード１１の周壁１１ａの上端部間に複数または多数箇所に網目状に架設され、バーナー部３からの火炎により加熱される線材１２とを有する。線材１２は、ニッケル・クロム系、鉄・クロム系等の金属線材またはタングステン、モリブテン等の単体の金属線材から構成する。フード１１の周壁１１ａの上端部に周方向に沿って多数箇所に孔１３またはスリット孔２３を形成し、１本の線材１２を順次通して、フード１１の周壁１１ａの上端部に網目状に架設するようにする。【選択図】図１
2008096016.tif 000002
【特許請求の範囲】
【請求項１】
バーナー部とその周囲に配置される五徳との間に設置される筒状のフードと、このフードの周壁の上端部間に複数または多数箇所に架設され、バーナー部からの火炎により加熱される線材とを有することを特徴とするコンロ用火力補助具。
【請求項２】
前記線材は、バーナー部の火炎口から出る火炎の芯に当たるように配設されていることを特徴とする請求項１記載のコンロ用火力補助具。
【請求項３】
前記線材は、前記フードを平面視して、網目状に配設されることを特徴とする請求項１または請求項２記載のコンロ用火力補助具。
【請求項４】
前記線材は、ニッケル・クロム系、鉄・クロム系等の金属線材またはタングステン、モリブテン等の単体の金属線材から構成されていることを特徴とする請求項１ないし請求項３記載のコンロ用火力補助具。
【請求項５】
前記線材は、撚り線加工が施されていることを特徴とする請求項１ないし請求項４記載のコンロ用火力補助具。
【請求項６】
前記フードの周壁下部に、空気をフード内部へ取入れる空気取入れ口が形成されていることを特徴とする請求項１ないし請求項５記載のコンロ用火力補助具。
【請求項７】
前記フードの周壁に、耐熱塗料が塗布されていることを特徴とする請求項１ないし請求項６記載のコンロ用火力補助具。
【請求項８】
バーナー部とその周囲に配置される五徳との間に設置される筒状のフードと、このフードの周壁の上端部間に複数または多数箇所架設され、バーナー部からの火炎により加熱される線材とを有するコンロ用火力補助具の製造方法であって、前記フードの周壁の上端部に周方向に沿って複数または多数箇所に孔を形成し、この孔に１本の前記線材を順次通して、同線材を前記フードの周壁の上端部間に複数または多数箇所に架設するようにしたことを特徴とするコンロ用火力補助具の製造方法。
【請求項９】
前記フードの周壁の上端部に周方向に沿って複数または多数箇所に形成した孔を、同フードの周壁の上端に開口させてスリット孔を形成し、各スリット孔に１本の前記線材を順次通して、同線材を前記フードの周壁の上端部間に複数または多数箇所に架設するようにしたことを特徴とする請求項８記載のコンロ用火力補助具の製造方法。
【発明の詳細な説明】
【技術分野】
【０００１】
本発明は、燃料の供給量が少量であっても、十分な火力を得ることができ、燃料の節約を図れるコンロ用火力補助具とその製造方法に関するものである。
【背景技術】
【０００２】
従来一般のコンロ、例えばガスコンロは、五徳の上に置いた鍋と五徳との間の隙間が大きく、そのため、バーナー部の火炎の熱が隙間から放散して、熱効率が低いものであった。このため、ガスコンロの熱効率を高めるための様々な工夫が従来よりなされている。例えば、五徳の内側に逆円錐状反射板を設けて、バーナー部からの火熱を五徳周辺の隙間から放散させないようにしたもの（特許文献１）や、五徳の形状をフード形にしたもの（特許文献２）等が提案されている。
【特許文献１】登録実用新案第３００４３１１号公報
【特許文献１】特開平９−２７６１５０号公報
【発明の開示】
【発明が解決しようとする課題】
【０００３】
しかしながら、特許文献１、特許文献２のいずれの提案も、ガスコンロの五徳の隙間から火炎の熱が放散するのを防いだり、風による立ち消えを防いだりするにとどまるもので、熱効率をさらに高めるには限界があった。
【０００４】
本発明は、前記事情に鑑みてなされたもので、その目的とするところは、バーナー部からの火炎による熱の放散を防ぐだけでなく、バーナー部における火炎の完全燃焼化を促進して、燃料の供給量が少量であっても十分な火力を得ることができ、もって燃料の大幅な節約を可能とするコンロ用火力補助具を提供することにある。
【０００５】
また、本発明の別の目的は、安価に製造できるコンロ用火力補助具の製造方法を提供することにある。
【課題を解決するための手段】
【０００６】
上記課題を解決するために、本発明の請求項１に係るコンロ用火力補助具は、バーナー部とその周囲に配置される五徳との間に設置される筒状のフードと、このフードの周壁の上端部間に複数または多数箇所に架設され、バーナー部からの火炎により加熱される線材とを有することを特徴とする。
【０００７】
請求項１に係るコンロ用火力補助具によると、バーナー部とその周囲に配置される五徳との間に設置される筒状のフードが、熱の放散を防止し、バーナー部の火炎の熱を五徳の内側に集約する。と同時に、フードの周壁の上端部間に架設された線材が、バーナー部からの火炎により高温に加熱され、この高温に加熱された線材により、火炎の不完全燃焼部分（火炎の芯の周囲の部分）の完全燃焼化が促進されて、火力がアップする。その結果、これらのフードと高温に加熱された線材の相乗効果によって、コンロの熱効率が大幅に向上する。
【０００８】
請求項２記載のコンロ用火力補助具は、前記線材が、バーナー部の火炎口から噴出される火炎の芯に当たるように配設されていることを特徴とする。
【０００９】
火炎の芯の部分は、完全燃焼部分であり、熱カロリーが最も高い部分である。当該部分に当るように線材が配設されることで、線材に伝達される熱カロリーを最大とし、高温に加熱された線材を介しての、火炎の芯の周囲の不完全燃焼部分の、完全燃焼化をより一層促進できる。
【００１０】
請求項３記載のコンロ用火力補助具は、前記線材が、前記フードを平面視して、網目状に配設されることを特徴とする。
【００１１】
請求項３記載のコンロ用火力補助具によると、前記線材が、前記フードを平面視して、網目状に配設されることにより、バーナー部の火炎口から出る各炎の全体に対し効率よく加熱されることになり、各炎の火力を効率よくアップさせることができる。
【００１２】
請求項４記載のコンロ用火力補助具は、前記線材が、ニッケル・クロム系、鉄・クロム系等の金属線材またはタングステン、モリブテン等の単体の金属線材から構成されていることを特徴とする。
【００１３】
請求項４記載のコンロ用火力補助具によると、線材として、１０００℃付近あるいはそれ以上の高温下で使用できるニッケル・クロム系、鉄・クロム系等の金属線材またはタングステン、モリブテン等の単体の金属線材を使用することによって、バーナー部からの火炎に対する耐熱性を確保することができる。
【００１４】
請求項５記載のコンロ用火力補助具は、前記線材に、撚り線加工が施されていることを特徴とする。
【００１５】
請求項５記載のコンロ用火力補助具によると、線材に撚り線加工が施されることにより、火炎により加熱された線材が断線されることを防止できる。すなわち、線材は火炎により加熱されて熱膨張し、火炎の消火によりその後冷却されて元の長さに収縮し、膨張と収縮を繰り返す。線材を撚り線から構成することで、膨張時と収縮時の応力を緩和することができ、断線を有効に防ぐことができる。よって、線材の耐久性を長期間維持できる。なお、線材としては、幅１．５ｍｍ〜２ｍｍ程度の平線等が用いられる。
【００１６】
請求項６記載のコンロ用火力補助具は、前記フードの周壁下部に、空気をフード内部へ取入れる空気取入れ口が形成されていることを特徴とする。
【００１７】
請求項６記載のコンロ用火力補助具によると、前記フードの周壁下部に、空気をフード内部へ取入れる空気取入れ口を形成することで、バーナー部への空気の流入量を増やすことができ、火炎の完全燃焼化に寄与することができる。
【００１８】
請求項７記載のコンロ用火力補助具は、前記フードの周壁に、耐熱塗料が塗布されていることを特徴とする。
【００１９】
請求項７記載のコンロ用火力補助具によると、バーナー部の周囲に設置したフードをスチール製とした場合、耐熱塗料を塗布することで、フードの装飾性を高めることができる。耐熱塗料としては、５００℃〜６００℃程度の耐熱性があればよく、塗料の色としては、黒色、灰色、茶色、青色などの色が好適である。
【００２０】
請求項８記載のコンロ用火力補助具の製造方法は、バーナー部とその周囲に配置される五徳との間に設置される筒状のフードと、このフードの周壁の上端部間に複数または多数箇所に架設され、バーナー部からの火炎により加熱される線材とを有するコンロ用火力補助具の製造方法であって、前記フードの周壁の上端部に周方向に沿って複数または多数箇所に孔を形成し、この孔に１本の前記線材を順次通して、同線材を前記フードの周壁の上端部間に複数または多数箇所に架設するようにしたことを特徴とする。
【００２１】
請求項８記載のコンロ用火力補助具の製造方法によると、１本の線材を順次フードの周壁の上端部に周方向に沿って形成した孔に通していくだけの簡単な作業で、コンロ用火力補助具を製造することができ、安価に製造することができる。
【００２２】
請求項９記載のコンロ用火力補助具の製造方法は、前記フードの周壁の上端部に周方向に沿って複数または多数箇所に形成した孔を、同フードの周壁の上端に開口させてスリット孔を形成し、各スリット孔に１本の前記線材を順次通して、同線材を前記フードの周壁の上端部間に複数または多数箇所に架設するようにしたことを特徴とする。
【００２３】
請求項９記載のコンロ用火力補助具の製造方法によると、１本の線材を順次フードの周壁の上端部に周方向に沿って形成したスリット孔に上から差し込んで引っ掛けるだけの簡単な作業で、コンロ用火力補助具を製造することができ、製造コストのより一層の低廉化を図ることができる。
【発明の効果】
【００２４】
以上説明したように、本発明に係るコンロ用火力補助具は、フードによる炎の熱の放散防止だけでなく、フードの上端に架設した線材を炎で高温に加熱して、当該高温に加熱した線材により、バーナー部における火炎の完全燃焼化を促進して、燃料の供給量が少量であっても十分な火力を得ることができ、もって燃料の大幅な節約を図れるという優れた効果を奏する。
【００２５】
しかも、フードと線材の組合せは、その構造が極めて簡単であり、火力補助具の製造費用の低廉化も図れるという優れた効果を奏する。
【発明を実施するための最良の形態】
【００２６】
以下、本発明の実施の形態を、図面を参照して説明する。
図１ないし図６は本発明の一実施形態を示すもので、図１において、符号１はガスコンロ、符号１０は火力補助具を示している。ガスコンロ１は、ガスコンロ本体２の上面２ａに凹所２ｂが形成されており、同凹所２ｂの中央にガスバーナー部３が、同ガスバーナー部３の周囲であって、前記凹所２ｂの隅部に五徳４が、それぞれ設置されている。なお、符号５は五徳４の設置した鍋を示している。
【００２７】
火力補助具１０は、図２に示すように、円筒状のフード１１と、このフード１１の上端部に架設される線材１２とから構成されている。
【００２８】
前記フード１１は、上下に開口する円筒状のスチール製のもので、図１に示すように、ガスバーナー部３の周囲で五徳４の内側に設置されるようになっている。したがって、フード１１の内径Ｄ１はガスバーナー部３の外径Ｄ０より大きく、フード１１の外径Ｄ２は各五徳４の基端部内面で形成する円の内径Ｄ３よりも小さい。かかるフード１１の周壁１１ａの上端部には、図２に示すように、周方向に沿って多数個の孔１３が穿孔されている。この孔１３は、線材１２を通すためのものである。
【００２９】
前記線材１２は、幅１．５ｍｍ程度の平線からなる金属線材に撚り線加工が施されたもので、図３に示すように、フード１１を平面視して、フード１１の上方開口部に網目状に配設されている。すなわち、フード１１の周壁１１ａの上端部に穿孔された各孔１３に線材１２が通されて、フード１１の周壁１１ａの相対する上端部間に多数箇所架設されている。
【００３０】
前記線材１２の材質は、１０００℃付近あるいはそれ以上の高温で使用できる、ニッケル・クロム系のほか、鉄・クロム系の金属線材、タングステン、モリブテンなどの単体の金属線材を用いることができる。
【００３１】
前記フード１１には、スチール製からなるフード１１の耐熱性を高めるために、耐熱塗料が塗布されている。耐熱塗料の例としては、５００℃〜６００℃程度、さらには、７００℃〜１０００℃程度の高温に耐えられるコロイダルシリカ、酸・アルカリ系の無機バインダーを主体とした無機高分子系の耐熱塗料が用いられる。耐熱塗料の色には、黒色、灰色、茶色、青色などの色が用いられる。なお、フード１１の材質としては、耐熱性に優れるセラミックス製あるいは炭素鋼、さらにはステンレス製のものを用いることが可能である。
【００３２】
前記フード１１の周壁１１ａの下部には周方向に沿って複数の空気取入れ口１４が設けられており、ガスバーナー部３から火炎Ｋを出している間、空気取入れ口１４からフード１１内部に空気（酸素）を取入れ、ガスの燃焼を安定させるようになっている。
【００３３】
上記構成のガスコンロ用火力補助具１０を製造するには、フード１１の周壁１１ａの上端部の各孔１３に１本の線材１２を順次通して、張りながら、縦方向に往復させるとともに、次いで横方向に往復させて、図３に示すように、線材１２をフード１１の周壁１１ａの上端部間に網目状にピンと張った状態で架設するようにする。
【００３４】
次に、上記構成のガスコンロ用火力補助具１０の使用方法および作用について、説明する。
【００３５】
まず、図１に示すように、ガスコンロ本体２の上面２ａの凹所２ｂの上に、火力補助具１０をセットする。火力補助具１０は、そのフード１１をガスバーナー部３の周囲であって、五徳４の内側に設置する。次いで、五徳４の上に例えば水を入れた鍋５を載せる。
【００３６】
この状態で、ガスコンロ1の点火スイッチ６（図５参照）を押してガスに着火し、ガスバーナー部３の火炎口７から噴出する火炎Ｋの大きさを火力調整つまみ８（図５参照）によって調整する。すなわち、火力補助具１０の上端部の線材１２が、図１および図６に示すように、火炎Ｋの芯Ｃに当るように、火炎Ｋの大きさを調整する。本実施形態においては、フード１１の下端から線材１２の高さまでの距離が約４ｃｍに設定されており、ちょうど、図５に示す火力調整つまみ８を弱火の位置に合わせたときの火炎Ｌの芯Ｃに線材１２が当るように設定されている。
【００３７】
なお、弱火の時の火炎の芯の位置は、ガスコンロの種類、サイズ、ガスバーナー部３の高さ、火炎口７の高さ位置によって多少変わるものであり、要は、弱火の時の火炎の芯の位置に、線材１２が当るように、フード１１および線材１２の各高さを予め設定するようにすればよい。
【００３８】
ガスバーナー部３からの火炎の熱が鍋５の鍋底を通して鍋５の中の水に伝わり水が沸騰することになるが、その間、図１に示すように、ガスバーナー部３の周囲を囲むフード１１が火炎の熱の放散を防止し、また、フード１１の周壁１１ａの空気取り入れ口１４から、空気（酸素）を取入れて、安定的にガスを燃焼させる。そして、ガスの燃焼中、フード１１の上端部の線材１２が火炎Ｋの芯Ｃに当たって、真っ赤に加熱され、この高温に加熱された線材１２の熱によって、火炎Ｋの芯Ｃ（完全燃焼部分）の周囲の不完全燃焼部分Ａ（図６参照）の完全燃焼化が促進されるので、火力調整つまみ８が弱火の位置で、ガス燃料の供給量が少量に絞られている状態であっても、火力がアップする。これらの相乗効果によって、鍋５の中の水が非常に早く沸騰する。ガス燃料の大幅な節約を可能とする。
【００３９】
図７は、本発明の他の実施形態を示すもので、本実施形態の火力補助具２０は、フード２１の周壁２１ａの上端部に周方向に沿って上端に開口するスリット孔２３を等ピッチで設けたもので、線材２２を、順次スリット孔２３に上から差し込んで引っ掛けるだけの簡単な作業で、火力補助具２０を製造することができ、前記実施形態の火力補助具１０に比べて、製造コストのより一層の低廉化を図ることを可能とするものである。
【００４０】
以上の実施形態では、ガスコンロ１について本発明の火力補助具１０、２０を適用する例を説明したが、本発明の火力補助具の適用範囲はガスコンロ１に限定されず、例えば固形燃料を用いるコンロに対しても適用可能である。固形燃料の炎の芯に本発明の火力補助具１０、２０の線材１２、２２を当てるように配置し、固形燃料の炎の火力をアップさせることができる。
【００４１】
さらに、本発明の火力補助具は、他の燃焼機関に取付けあるいは設置して、使用することも可能である。
【実施例】
【００４２】
本発明者は、本発明に係るガスコンロ用火力補助具の効果を確認すべく、図１のガスコンロ１の火力調整つまみ８を弱火の位置にして、１リットルの水を鍋にいれて五徳の上に載せ、水が沸騰するまでの時間を、従来例、比較例、実施例のそれぞれについて、同一条件の下で測定する試験を行った。表１に、その試験結果を示す。なお、従来例は、ガスコンロのガスバーナー部の周囲にフードを設置しなかった場合、比較例は、ガスコンロのガスバーナー部の周囲にフードのみ（線材無し）を設置した場合、実施例は、ガスコンロのガスバーナー部の周囲に本発明の火力補助具を設置した場合をそれぞれ示している。
【００４３】
実施例に用いた火力補助具は、図７に示す構造のもので、フードの直径約１１ｃｍ、高さ５ｃｍ（線材までの高さ４ｃｍ）で、スリット孔の数が周方向に２３個あり、ニッケル・クロム系の金属線材が縦方向に９本、横方向に８本交差し、同金属線材が、火力調整つまみを弱火の状態にしたとき、ちょうど炎の芯に当るものを用いた。
【表１】
2008096016.tif 000003
表１によると、ガスコンロの着火後、７５℃に達するまでの時間は、従来例が１０分２４秒、比較例が８分２３秒、実施例が４分３２秒であり、比較例が約２分短縮できるにとどまったが、実施例は約６分短縮でき、比較例に対しても３倍程度の短縮効果が得られることが分かった。また、９０℃に達するまでの時間は、従来例が２４分３９秒、比較例が１２分４８秒、実施例が５分５９秒であり、比較例は従来例対比で約半分の短縮効果があるが、実施例は従来例対比で約１／４の短縮効果があり、いずれの場合であっても、従来例、比較例いずれに対しても十分な短縮効果が得られることが分かった。
【産業上の利用可能性】
【００４４】
本発明に係るコンロ用火力補助具は、コンロの火力を補助し、燃料費の節約を図ることのできるコンロ用火力補助具として、また、燃焼機関の火力補助具としても利用可能である。
【図面の簡単な説明】
【００４５】
【図１】本発明の一実施形態を示すもので、ガスコンロに火力補助具を設置してガスバーナー部からの火炎により鍋を加熱している状態の、一部を断面視した側面図である。
【図２】図１に示す火力補助具の全体斜視図である。
【図３】図２に示す火力補助具の平面図である。
【図４】図２に示す火力補助具の側面図である。
【図５】図１に示すガスコンロの側面図である。
【図６】ガスバーナー部からの火炎の芯に火力補助具の線材が当っている状態を示す要部側面図である。
【図７】本発明の他の実施形態を示すもので、火力補助具の全体斜視図である。
【符号の説明】
【００４６】
１  ガスコンロ（コンロ）
２  ガスコンロ本体
２ａ  上面
２ｂ  凹所
３  ガスバーナー部（バーナー部）
４  五徳
５  鍋
６  点火スイッチ
７  火炎口
８  火力調整つまみ
１０、２０  火力補助具
１１、２１  フード
１１ａ、２１ａ  周壁
１２、２２  線材
１３  孔
１４  空気取入れ口
２３  スリット孔
Ｄ０  ガスバーナー部の外径
Ｄ１  フードの内径
Ｄ２  五徳の内端で形成する円の内径
Ｋ  火炎
Ｃ  芯
Ａ  不完全燃焼部分
【図１】
2008096016.tif 000004
【図２】
2008096016.tif 000005
【図３】
2008096016.tif 000006
【図４】
2008096016.tif 000007
【図５】
2008096016.tif 000008
【図６】
2008096016.tif 000009
【図７】
2008096016.tif 000010